(57)【特許請求の範囲】
【請求項１】
前面を開口した収容本体と、前記収容本体の前面開口部を塞ぐ水平回動式の扉と、前記扉を開放不能にするロック手段を操作するためのハンドル部材とを備えており、
前記ハンドル部材は、正面視において水平横向きに延びる形態で前記扉の前面に取り付けられていて、前記扉の開閉方向に移動操作可能になっており、
前記ハンドル部材を前記扉の開放方向に向けて移動させれば、前記ロック手段が前記扉の開閉を許容するフリー状態になる構成であって、
前記扉の前面のうち前記ハンドル部材の横側方には、前向きに突出した操作筐体が取り付けられており、前記操作筐体の前面に、前記ロック手段をロック状態に保持する施錠手段の操作部が設けられている一方、
前記ハンドル部材は、前記扉の開閉方向に向けて水平回動又は前後スライドするトリガー体と、前記トリガー体の前面側を覆うと共に前記トリガー体と一緒に手で握り得るグリップ体とを備えており、前記グリップ体と前記操作筐体とを左右方向に連続するように配置している、
錠付き什器類。
【請求項２】
前記操作筐体の前面は、前記扉の前方に向けて斜め下向きに傾斜した傾斜面になっている、
請求項１に記載した錠付き什器類。
【請求項３】
前記操作筐体の一側部が平面視において前記グリップ体の一側部に重なっている、
請求項１又は２に記載した錠付き什器類。
【発明の詳細な説明】
【技術分野】
【０００１】
本願発明は、例えば金庫のように扉に施錠手段が設けられている什器類に関するものである。なお、本願発明の什器類には、例えば金庫室や危険物保管室のように建物の一部になっている構造体も含まれる。
【背景技術】
【０００２】
従来から、金庫における水平回動式の扉の前面には、上下回動操作が可能なハンドルが設けられている。扉の背面側（又は内部）には、ハンドルの上下回動に連動して扉の外周側に出没動するロック杆が設けられている一方、金庫本体の開口内周側には、ロック杆を係脱させるための係合穴が形成されている。
【０００３】
この場合、ハンドルの上下回動操作にてロック杆を金庫本体の係合穴に対して係脱させることにより、扉の開閉が阻止又は許容される。そして、ロック杆が金庫本体の係合穴に係合した状態で、ロック杆の没入動（後退動）を施錠手段にて阻止することにより、扉が施錠される。施錠手段としては、ダイヤル錠及びシリンダ錠の組合せや、扉の前面に設けられた入力部を操作して解錠する電子錠が採用される。
【特許文献１】特開平９−７８９１１号公報
【発明の開示】
【発明が解決しようとする課題】
【０００４】
前記従来の構成において扉を開放する手順は以下のようになる。まず、施錠手段を解錠操作した後、ハンドルを握って所定の上下方向に回動操作する。そうすると、ロック杆が没入動（後退動）して金庫本体の係合穴との係合が解除される。そして、この状態でハンドルを手前に引くのである。
【０００５】
このように前記従来の構成では、扉を開放するに際して、ハンドルを握った状態で、手首を捻ってから手前に引くという不連続な動作をしなければならないから、操作し易いとは言い難く、昨今提唱されているユニバーサルデザイン（人が簡単且つスムーズに使えるように設計すること）の観点から見ると、未だ改善の余地があった。
【０００６】
本願発明は、このような現状を改善することを主たる課題とするものである。
【課題を解決するための手段】
【０００７】
請求項１の発明は、前面を開口した収容本体と、前記収容本体の前面開口部を塞ぐ水平回動式の扉と、前記扉を開放不能にするロック手段を操作するためのハンドル部材とを備えており、前記ハンドル部材は、正面視において水平横向きに延びる形態で前記扉の前面に取り付けられていて、前記扉の開閉方向に移動操作可能になっており、
前記ハンドル部材を前記扉の開放方向に向けて移動させれば、前記ロック手段が前記扉の開閉を許容するフリー状態になる、という基本構成である。
【０００８】
そして、上記基本構成において、前記扉の前面のうち前記ハンドル部材の横側方には、前向きに突出した操作筐体が取り付けられており、前記操作筐体の前面に、前記ロック手段をロック状態に保持する施錠手段の操作部が設けられている一方、前記ハンドル部材は、前記扉の開閉方向に向けて水平回動又は前後スライドするトリガー体と、前記トリガー体の前面側を覆うと共に前記トリガー体と一緒に手で握り得るグリップ体とを備えており、前記グリップ体と前記操作筐体とを左右方向に連続するように配置している。
【０００９】
請求項２の発明は、請求項１において、前記操作筐体の前面は、前記扉の前方に向けて斜め下向きに傾斜した傾斜面になっている。
【００１０】
請求項３の発明は、請求項１又は２において、前記操作筐体の一側部が平面視において前記グリップ体の一側部に重なっている。
【発明の効果】
【００１１】
本願発明によると、ハンドル部材は、正面視において水平横向きに延びる形態で扉の前面に取り付けられていて、前記扉の開閉方向に移動操作可能になっており、前記ハンドル部材を前記扉の開放方向に向けて移動させれば、ロック手段が前記扉の開閉を許容するフリー状態になるように構成されている。
【００１２】
このため、前記扉を開放する際は、施錠手段を解錠した後、前記ハンドル部材を握って前記扉を手前（前記開放方向）に引くという極めて自然な動作をするだけで、前記ロック手段をフリー状態にして前記扉を開くことができる。従って、人は簡単且つスムーズに扉の開き操作を行うことができて、ユニバーサルデザインの観点からもユーザーフレンドリーな錠付き什器類となるのである。
【００１３】
ところで、従来の金庫では、扉における鉛直な前面に、施錠手段の操作部（ダイヤル摘みやテンキー式の入力部等）を直接取り付けている。このため、金庫の大きさにもよるが、使用者が操作部を操作する際に、立ったままでは操作部が見づらく、操作部と正対するのに一々しゃがまなければならない。
【００１４】
この点、請求項２の発明によると、前記操作筐体の前面は、前記扉の前方に向けて斜め下向きに傾斜した傾斜面になっているため、使用者が前記操作部を操作する際は、目線を下げるか前屈みになれば、一々しゃがみ込まなくても、前記操作部と正対できる。従って、前記操作部が見易くその操作性が向上するという効果を奏する。
【００１５】
また、本願発明において、前記ハンドル部材は、前記扉の開閉方向に向けて水平回動可能なトリガー体と、前記トリガー体の前面側を覆うと共に前記トリガー体と一緒に手で握り得るグリップ体とを備えた構成であるから、前記トリガー体が回動式であっても、操作力が回動支点付近に集中的に作用するのを防止できる。このため、トリガー体が回動式であってもその円滑な回動を確保して、トリガー体の回動にこじれが生ずるのを防止でき、その結果、前記扉の開閉をスムーズに行える。
【００１６】
また、グリップ体と操作筐体とは互いに連続するかのような一体感のある外観になっているから、前記ハンドル部材及び前記操作筐体の組合せ全体としてデザイン的に違和感がなく、美感にも優れている。
請求項３の発明によると、ハンドル部材の水平横方向の長さ（手で握る部分の長さ）を十分に確保した上で、ハンドル部材と操作筐体とをコンパクトにまとめて配置できる。
【発明を実施するための最良の形態】
【００１７】
以下に、本願発明を錠付き什器類の一例である金庫に適用した実施形態を図面（図１〜図９）に基づいて説明する。図１は第１実施形態における金庫の斜視図、図２のうち（ａ）は扉の背面側の説明図、（ｂ）はロック杆収納機構の説明図、図３はハンドル部材及び操作筐体の拡大正面図、図４はハンドル部材及び操作筐体の拡大平面図、図５はハンドル部材の拡大平面断面図、図６は操作筐体の拡大側面図、図７はダイヤル錠の取り付け態様を示す拡大斜視図、図８のうち（ａ）は操作筐体に設けられた操作部の第２実施形態を示す要部拡大図、（ｂ）は操作部の第３実施形態を示す要部拡大図、図９は第２実施形態における操作筐体の拡大側面図である。
【００１８】
（１）．金庫の概要
まず始めに、図１及び図２を参照しながら、金庫１の概要について説明する。なお、図２（ａ）（ｂ）では内カバー体の図示を省略して内部構造を開示している。
【００１９】
錠付き什器類の一例としての金庫１は、前面を開口した略箱型の収容本体２と、収容本体２の前面開口部を塞ぐ水平回動式の扉３とを備えている。収容本体２及び扉３は、防盗性及び耐火性を有する従来公知の材料（例えばコンクリート）が内部壁として充填された金属板枠製のものである。扉３は、横一側部に設けられた蝶番４を介して、水平回動可能（開閉可能）に構成されている。なお、以下の説明では、金庫１において扉３のある側面を前面と称して、これを基準に前後左右を表現する（従って、正面視での左右と逆になる）。
【００２０】
扉３の前面のうち自由端寄りの箇所には、開閉操作用のハンドル部材５が装着されている。ハンドル部材５は正面視において水平横向きに延びる形態に形成されている。扉３の前面のうちハンドル部材５の横側方（実施形態では蝶番４側である左側方）には、前向きに突出する略箱型の操作筐体６が背面側からの複数のボルト７（図４〜図５参照）にて固定されている。操作筐体６の前面には、施錠手段としてのダイヤル錠８の操作部であるダイヤル摘み９を露出させている。また、扉３の前面のうちハンドル部材５の下方には、シリンダ錠１０の鍵穴１１を露出させている。
【００２１】
図２（ａ）に示すように、扉３の内部には、前述したダイヤル錠８及びシリンダ錠１０と、扉３の外周側に出没動可能なロック手段としての複数のロック杆１２と、ロック杆１２群の出没動とハンドル部材５の操作とを関連させる機械的連動機構１３とが配置されている。扉３の背面側には金属板製の内カバー体（図示省略）が設けられており、扉３の内部にある部品（各ロック杆１２の基部や機械的連動機構１３）は、扉３の背面側からも見えなくなっている（隠されている）。なお、詳細は図示していないが、収容本体２内には、貴重品等の物品を収容するための棚板や抽斗が多段に設けられている。
【００２２】
（２）．ハンドル部材と操作筐体との詳細構造
次に、図３〜図５を参照しながら、ハンドル部材５と操作筐体６との詳細構造について説明する。
【００２３】
ハンドル部材５は、扉３の開閉方向に向けて移動操作可能なトリガー体１５と、トリガー体１５の前面側を覆うグリップ体１６とを備えている。グリップ体１６は、水平横長の把手部１７と、把手部１７の左右両端部から同じ向きに突出する一対の脚部１８，１９とにより、平面視略コ字状の形態になっている。左右両脚部１８，１９が扉３の前面にボルト及びナットにて締結されている。グリップ体１６と扉３の前面とで囲われた空間Ｓは手指を挿入可能な大きさになっている。把手部１７の前面側には、水平横長の化粧板２０が取り付けられている。グリップ体１６の内周側（隙間Ｓに臨む側）には、左脚部１８から把手部１７を経て右脚部１９に至る凹み溝２１が形成されている（図５参照）。
【００２４】
トリガー体１５は、グリップ体１６と扉３との間の空間Ｓに露出した把持アーム部２２と、扉３を厚み方向に貫通した連動アーム部２３とにより、平面視略Ｌ字状の形態になっている。このように、トリガー体１５の把持アーム部２２をグリップ体１６と扉３との間の空間Ｓに露出させているため、空間Ｓ内に手指を挿入して、トリガー体１５の把持アーム部２２とグリップ体１６の把手部１７とを一緒に握ることが可能になっている。把持アーム部２２と連動アーム部２３とのコーナ部は、グリップ体１６の凹み溝２１のうち左脚部１８側の箇所に、縦向きの枢支軸２４にて水平回動可能に枢着されている。
【００２５】
詳細は後述するが、実施形態では、トリガー体１５の把持アーム部２２が枢支軸２４の軸心回りに水平回動すると、連動アーム部２３が把持アーム部２２と共に枢支軸２４回りに一体回動し、その先端部の押圧作用にて、扉３の内部に配置されたスライド板３４を左右方向（図２（ａ）の矢印ＳＬ，ＳＲ方向参照）にスライド移動させるように構成されている。
【００２６】
図１及び図４〜図６から分かるように、ハンドル部材５の左側方に配置された操作筐体６は、上面及び前面を開口した略箱型の基台２５と、基台２５の上面から前面までを覆う  蓋カバー体２６とにより構成されており、基台２５の背面部が扉３の前面にボルト７で締結されている。蓋カバー体２６は、基台２５の上面及び前面側に取り外し可能に取り付けられている。
【００２７】
蓋カバー体２６における前面の大部分は、扉３の前方に向けて斜め下向きに傾斜した傾斜面２７に形成されている。換言すると、蓋カバー体２６における前面の大部分は、側面視において上端から下端に近付くに連れて操作筐体６の前後長さが長くなるように傾斜した傾斜面２７になっている。蓋カバー体２６の前面下部は、前向き凸の湾曲面２８に形成されている。傾斜面２７と湾曲面２８とのつなぎ目には段差がなく、互いに滑らかに連続した外観になっている。実施形態では、傾斜面２７の水平に対する傾斜角度θが約５５°に設定されている（図６参照）。
【００２８】
蓋カバー体２６の傾斜面２７上には、施錠手段としてのダイヤル錠８の操作部であるダイヤル摘み９が前方に露出するようにして配置されている。このため、ダイヤル摘み９から後ろ向きに突出するダイヤル軸２９は、傾斜面２７と直交する後方斜め下向きに延びて、操作筐体６と扉３とを貫通することになる。
【００２９】
ところで、従来の金庫では、扉における鉛直な前面に、施錠手段の操作部（ダイヤル摘みやテンキー式の入力部等）を直接取り付けている。このため、金庫の大きさにもよるが、使用者が操作部を操作する際に、立ったままでは操作部が見づらく、操作部と正対するのに一々しゃがまなければならない。
【００３０】
この点、実施形態では、蓋カバー体２６のうち前方斜め下向きに傾斜した傾斜面２７上には、ダイヤル錠８のダイヤル摘み９を配置しているので、使用者がダイヤル摘み９を操作する際は、目線を下げるか前屈みになれば、一々しゃがみ込まなくても、ダイヤル摘み９と正対できる。従って、ダイヤル摘み９が見易くその操作性を向上できるのである。
【００３１】
また、前述の通り、蓋カバー体２６のうち前方斜め下向きに傾斜した傾斜面２７上にダイヤル摘み９を配置しているから、ダイヤル軸２９は、傾斜面２７と直交する後方斜め下向きに延びることになる。このため、賊が金庫を壊す際にダイヤル摘み９をハンマー等で水平に叩いたりしても、ダイヤル軸２９には、水平の殴打力のうち後方斜め下向きの分力しか作用せず、ダイヤル軸２９を抜き取り難いという利点もある。
【００３２】
操作筐体６（蓋カバー体２６及び基台２５）の左下コーナ部には、グリップ体１６の左脚部１８に対応した段部３０（図３参照）が凹み形成されている。扉３の前面に操作筐体６を取り付けた状態では、操作筐体６の段部３０がグリップ体１６の左脚部１８に上方から被さっている。換言すると、操作筐体６の右側部は、平面視においてグリップ体１６の左脚部１８に重なっている（オーバーラップしている）。グリップ体１６における化粧板２０の左端部は、正面視において蓋カバー体２６の前面下部側に張り出した状態になっている。
【００３３】
図１及び図６に示すように、グリップ体１６における化粧板２０の前面は、蓋カバー体２６の前面下部と同様に、前向き凸の湾曲面３１に形成されている。その上、蓋カバー体２６の傾斜面２７及び湾曲面２８と、化粧板２０の湾曲面３１とは、それぞれ別体ではあるものの、互いに連続する同一の曲面であるかのように、一体感のある外観に形成されている。
【００３４】
このように構成すると、操作筐体６の右側部が平面視においてグリップ体１６の左脚部１８に重なっている（オーバーラップしている）ので、ハンドル部材５の水平横方向の長さ（手で握る部分の長さ）を十分に確保した上で、ハンドル部材５と操作筐体６とをコンパクトにまとめて配置できる。
【００３５】
また、蓋カバー体２６の傾斜面２７及び湾曲面２８と、化粧板２０の湾曲面３１とが、互いに連続する同一の曲面であるかのように一体感のある外観に形成されているため、ハンドル部材５及び操作筐体６の組合せ全体としてデザイン的に違和感がなく、美感にも優れているのである。
【００３６】
（３）．扉内部の解施錠に関する構造
次に、図２及び図７を参照しながら、扉３内の解施錠に関する構造について説明する。
【００３７】
扉３の内部に配置された機械的連動機構１３は、扉３の内背面から後ろ向きに突出する回転軸３２に回転可能に枢支された回転盤３３を備えている。回転盤３３には、蝶番４側に向けて水平状に延びるスライド板３４と、ロック手段としての複数のロック杆１２とがそれぞれピンにて結節されている。なお、以下の説明及び図面では便宜上、扉３の上端面に向けて延びる第１ロック杆１２に符号ａを、扉３の自由端に向けて延びる第２ロック杆１２に符号ｂを、扉３の下端面に向けて延びる第３ロック杆１２に符号ｃを付している。
【００３８】
スライド板３４及び各ロック杆１２は、例えばピン等のガイド手段にて、長手方向に沿ってスライド移動し得るように支持されている。スライド板３４の長手中途部には、横長の角穴３５が形成されている。当該角穴３５には、トリガー体１５のうち扉３を厚み方向に貫通した連動アーム部２３の先端部が差し込まれている。
【００３９】
ダイヤル錠８及びシリンダ錠１０を解錠すると共に扉３を閉じた状態で、トリガー体１５の把持アーム部２２が、図４及び図５において枢支軸２４回りの反時計回り方向（扉３の開放方向）に水平回動すると（図５の二点鎖線状態参照）、連動アーム部２３の先端部がスライド板３４を図２（ａ）の矢印ＳＲ方向に押圧してスライド移動させる。すると、スライド板３４の作用にて、回転盤３３が図２（ａ）において回転軸３２の軸心回りに時計回り方向（矢印ＴＲ方向参照）に回転し、これにより、各ロック杆１２の先端側が扉３の外周面から一斉に没入（後退）する。その結果、収容本体２の内周面に形成された係合穴（図示せず）と各ロック杆１２の係合が解除され、扉３の開閉を許容するフリー状態になる。
【００４０】
開いた扉３を閉じてから、トリガー体１５の把持アーム部２２が、図４及び図５において枢支軸２４の軸心回りに時計回り方向（扉３の閉止方向）に水平回動すると（図４及び図５の実線状態参照）、連動アーム部２３の先端部がスライド板３４を図２（ａ）の矢印ＳＬ方向に押圧してスライド移動させ、回転盤３３が図２（ａ）において回転軸３２の軸心回りに反時計回り方向（矢印ＴＬ方向参照）に回転する。すると、各ロック杆１２の先端側が扉３の外周面から一斉に突出して、収容本体２の係合穴（図示せず）に係合し、扉３の開きを阻止するロック状態になるのである。
【００４１】
実施形態では、第３ロック杆１２ｃが、その長手中途部と扉３の内背面に突設された取り付け軸３６との間に装架された引っ張りバネ３７にて、扉３の下端面から下向きに突出する方向に常時付勢されている。このため、トリガー体１５を操作していない状態では、引っ張りバネ３７の弾性付勢力が各ロック杆１２を扉３の外周面から突出させる方向に作用することになる。
【００４２】
この点に関して実施形態では、特開平１０−１８４１１８号公報等で公知のものと同様なロック杆収納機構６０が採用されている。すなわち、図２（ｂ）に示すように、扉３の内背面のうち第３ロック杆１２ｃの近傍に、板バネ製の規制片６１が、上端側のみボルト止めした吊り下げ状態で配置されており、扉３を開放した状態では、規制片６１の背面側に突設された係止片部６２に、フリー状態のときの第３ロック杆１２ｃの端面部６３を当接（引っ掛かり係合）させることによって、扉３を閉止するまでの間は、各ロック杆１２を突出不能に保持して、没入状態（フリー状態）を維持するように構成されている。
【００４３】
また、この構成においては、扉３を奥側（扉３の閉止方向）に押し込むと、収容本体２の下端開口縁が規制片６１の先端部を前向きに押圧するため、規制片６１の係止片部６２と第３ロック杆１２ｃの端面部６３との引っ掛かり係合が解除される。その結果、引っ張りバネ３７の弾性付勢力にて、全てのロック杆１２が扉３の外周面から突出したロック状態に保持されることになり、ひいては、トリガー体１５の把持アーム部２２が図４及び図５に示す水平姿勢に保持されることになる。なお、ロック杆収納機構６０自体は本願発明と直接的に関係しないのでこれ以上詳述しないが、必要であれば前記公報（特開平１０−１８４１１８号公報）等を参照されたい。
【００４４】
扉３の内背面のうち回転盤３３の近傍には、取り付けブラケット３８がスライド板３４の左半部を跨ぐようにして（後方から被さるようにして）ボルト締結されている（図７参照）。取り付けブラケット３８の下半部は、扉３の内背面に向けて斜め下向きに傾斜した傾斜面３９になっている。詳細は図示しないが、取り付けブラケット３８の傾斜面３９と操作筐体６における蓋カバー体２６の傾斜面２７とは平行状な関係に設定されている。
【００４５】
取り付けブラケット３８の傾斜面３９には、施錠手段としてのダイヤル錠８が取り付けられている。ダイヤル摘み９から後方斜め下向きに延びるダイヤル軸２９は、取り付けブラケット３８を貫通してダイヤル錠８に連結されている。ダイヤル錠８は、ダイヤル摘み９の回転操作にて回転盤３３に向けて進退動するダイヤル閂体４０を備えている。他方、回転盤３３の広幅面には、各ロック杆１２がロック状態のときに、突出状態のダイヤル閂体４０に当接して回転盤３３の矢印ＴＲ方向への回転を阻止するロック突片４１が後ろ向きに突設されている。
【００４６】
扉３を閉じてから各ロック杆１２を突出させ、かかるロック状態でダイヤル錠８を施錠操作すると、ダイヤル閂体４０が進出動して回転盤３３のロック突片４１に当接し、回転盤３３の矢印ＴＲ方向への回転を阻止する。その結果、回転盤３３ひいては各ロック杆１２がロック状態に保持され、扉３が開放不能になる。
【００４７】
扉５の内背面のうち回転盤３３の下方で且つ第３ロック杆１２ｃの近傍には、シリンダ錠１０が取り付けられている。シリンダ錠１０は、鍵（図示せず）の回転操作にて第３ロック杆１２ｃに向けて進退動するシリンダ閂体４２を備えている。他方、第３ロック杆１２ｃの長手中途部には、第３ロック杆１２ｃがロック状態のときにシリンダ閂体４２を係脱させる切り欠き４３が形成されている。
【００４８】
扉３を閉止してから各ロック杆１２を突出させ、かかるロック状態でシリンダ錠１０を施錠操作すると、シリンダ閂体４２が進出動して第３ロック杆１２ｃの切り欠き４３に係合し、第３ロック杆１２ｃがスライド不能になる。その結果、第１及び第２ロック杆１２ａ，１２ｂもロック状態に保持され、扉３が開放不能になる。
【００４９】
（４）．作用効果
以上の構成において、扉３を開放する際は、ダイヤル錠８及びシリンダ錠１０を解錠した後、ハンドル部材５のグリップ体１６と扉３の前面とで囲われた空間Ｓに手指を差し入れ、トリガー体１５の把持アーム部２２とグリップ体１６の把手部１７とを共に握ることによって、各ロック杆１２の先端を扉３の外周面から一斉に没入（後退）させ、各ロック杆１２をフリー状態にする。そして、ハンドル部材５を握ったままで手前（扉３の開放方向）に引けばよい。
【００５０】
すなわち、ハンドル部材５を握って扉３を手前（扉３の開放方向）に引くという極めて自然な動作で扉３を開放できるから、人は簡単且つスムーズに扉３の開放操作を行え、ユニバーサルデザインの観点からもユーザーフレンドリーである。
【００５１】
また、扉３を閉止する際は、扉３を奥側（扉３の閉止方向）に押し込むと、ロック杆収納機構６０による各ロック杆１２の没入状態（フリー状態）の維持が解除され、引っ張りバネ３７の弾性付勢力にて、各ロック杆１２の先端が扉３の外周面から一斉に突出し、各ロック杆１２が自動的にロック状態になる。その後、ダイヤル錠８及びシリンダ錠１０を施錠すればよい。
【００５２】
このように、扉３の閉じ操作は扉３を奥側（扉３の閉止方向）に押すだけでよいから、極めて簡単に扉３の閉止操作を行える。
【００５３】
特に実施形態では、各ロック杆１２をフリー状態にするために、トリガー体１５の把持アーム部２２とグリップ体１６の把手部１７とを一緒に握る構成になっているから、トリガー体１５を枢支軸２４回りに回動操作するための操作力が、枢支軸２４付近に集中的に作用するのを防止できる。このため、トリガー体１５の円滑な回動を確保して、トリガー体１５の回動にこじれが生ずるのを防止でき、その結果、扉３の開閉をスムーズに行えるのである。
【００５４】
（５）．他の実施形態
図８（ａ）（ｂ）及び図９には、蓋カバー体２６の傾斜面２７上に設けられる操作部の別例を示している。
【００５５】
図８（ａ）に示す第２実施形態では、蓋カバー体２６の傾斜面２７上に、施錠手段としての電子錠（図示せず）の操作部であるテンキー式の入力部４４と、指紋照合装置４５の指紋認識部４６と、操作指令を表示可能な液晶パネル部４７とを配置した点において、第１実施形態のものと相違している。この場合、電子錠は第１実施形態のダイヤル錠８に代わるものである。詳細は省略するが、予め設定された指紋パターン及び暗証番号通りの入力が行われると、回転盤３３に向けて進退動可能な閂体がモータの駆動にて退入動し、回転盤３３の回転、ひいては、各ロック杆１２のスライド移動が許容されることになる。
【００５６】
ところで、操作筐体６は、側面視において上端から下端に近付くに連れて前後長さが長くなる形態に形成されているため、基台２５の下部にはスペースがある。かかるスペースには、前述のモータに駆動電力を供給する複数の乾電池４８を収容するための蓋体５０付きの電池収容部４９が形成されている。蓋体５０は、基台２５のうち段部３０と反対側の側面（実施形態では左側面）に開閉可能に設けられている。乾電池４８群は、乾電池ホルダに装着した状態で電池収容部４９内に挿入される。基台２５における電池収容部４９の上方には、指紋照合装置４５の本体部分が内蔵されている。その他の構成は第１実施形態と同様である。
【００５７】
このように構成すると、操作筐体６内に、乾電池４８や指紋照合装置４５の本体部分を収容でき、これらを収容するための穴を扉３に形成する必要がないから、扉３の剛性を高い状態に維持できる。また、電力供給源として乾電池４８を利用するため、商用電源のコンセント等がないような場所でも金庫１を使用でき、取り扱い易いという利点もある。しかも、電池収容部４９が収容本体２及び扉３の外部に設けられているため、乾電池４８の入れ替えの際に扉３を開閉しなくても済む。この点も防盗性の向上に寄与している。
【００５８】
図８（ｂ）に示す第３実施形態では、蓋カバー体２６の傾斜面２７上に、施錠手段としての電子錠（図示せず）の操作部であるテンキー式の入力部５１を配置した点において、第１実施形態のものと相違している。この場合は、予め設定された暗証番号通りの入力が行われると、回転盤３３に向けて進退動可能な閂体がモータの駆動にて退入動し、回転盤３３の回転、ひいては、各ロック杆１２のスライド移動が許容されることになる。その他の構成は第１実施形態と同様である。
【００５９】
（６）．その他
本願発明は、前述の実施形態に限らず、様々な態様に具体化できる。例えば本願発明は金庫以外に、金庫室や危険物保管室のように建物の一部になっている構造体にも適用可能である。また、ハンドル部材５のグリップ体１６は少なくとも一端を扉３の前面又は操作筐体６に固定していればよい。トリガー体１５は実施形態のような水平回動式のものに限らず、前後スライド式（扉３の開閉方向にスライドするタイプ）のものでもよい。
【００６０】
なお、操作筐体のうち前方斜め下向きに傾斜した傾斜面に施錠手段の操作部を設ける構成は、ハンドル部材と関係なくそれ自体で独立した発明として成立し得るものである。
【００６１】
その他、各部の構成は図示の実施形態に限定されるものではなく、本発明の趣旨を逸脱しない範囲で種々変更が可能である。
【図面の簡単な説明】
【００６２】
【図１】第１実施形態における金庫の斜視図である。
【図２】（ａ）は扉の背面側の説明図、（ｂ）はロック杆収納機構の説明図である。
【図３】ハンドル部材及び操作筐体の拡大正面図である。
【図４】ハンドル部材及び操作筐体の拡大平面図である。
【図５】ハンドル部材の拡大平面断面図である。
【図６】操作筐体の拡大側面図である。
【図７】ダイヤル錠の取り付け態様を示す拡大斜視図である。
【図８】（ａ）は操作筐体に設けられた操作部の第２実施形態を示す要部拡大図、（ｂ）は操作部の第３実施形態を示す要部拡大図である。
【図９】第２実施形態における操作筐体の拡大側面図である。
【符号の説明】
【００６３】
１  金庫
２  収容本体
３  扉
４  蝶番
５  ハンドル部材
６  操作筐体
７  ボルト
８  ダイヤル錠
９  ダイヤル摘み
１０  シリンダ錠
１２  ロックボルト
１３  機械的連動機構
１５  トリガー体
１６  グリップ体
１７  把手部
２０  化粧板
２２  把持アーム部
２３  連動アーム部
２５  基台
２６  蓋カバー体
２７  蓋カバー体の傾斜面（前面）
２８  蓋カバー体の湾曲面
２９  ダイヤル軸
３１  化粧板の湾曲面
【図１】
0004950940.tif 000002
【図２】
0004950940.tif 000003
【図３】
0004950940.tif 000004
【図４】
0004950940.tif 000005
【図５】
0004950940.tif 000006
【図６】
0004950940.tif 000007
【図７】
0004950940.tif 000008
【図８】
0004950940.tif 000009
【図９】
0004950940.tif 000010